Podtech/llm-jp-corpus-v4-ja_patent huggingface dataset:
【誤訳訂正書】
【提出日】平成20年9月9日(2008.9.9)
【誤訳訂正１】
【訂正対象書類名】明細書
【訂正対象項目名】００１４
【訂正方法】変更
【訂正の内容】
【００１４】
特にその赤道面の領域において、インプラントコアは、赤道面に垂直に伸びる経路のラジアル方向（放射状）の拡張部分を形成することが望ましい外側リンググルーブ及び／または内側リンググルーブが与えられることが替わりにまたは付加的になされる。
【誤訳訂正２】
【訂正対象書類名】明細書
【訂正対象項目名】００２６
【訂正方法】変更
【訂正の内容】
【００２６】
本発明によれば、シェルがラジアル（半径）方向において支持クッションを越えて突き出ることがさらに提案される。軸の外側リム領域と中心領域との間の中心領域の方向にインプラントプレートの実際の支持がシェル及びハーフシェルを介して転移されるということが、内部支持クッションに関してシェルまたは２つのハーフシェルのこの突出によって実現され、この方法で、リム領域または中心領域において圧力ピークが防止されるかまたは、少なくとも大いに減じられる。
【誤訳訂正３】
【訂正対象書類名】明細書
【訂正対象項目名】００３２
【訂正方法】変更
【訂正の内容】
【００３２】
インプラントコアの圧力の動きを設定するさらなる可能性が本発明のさらなる好適実施例によって、中心領域において軸方向に支持クッションを硬くする事実に存する。替わりに、または加えて、中心経路が用意される場合には、支持クッションがラジアル（径）方向に内に向かって硬くされてもよい。
【誤訳訂正４】
【訂正対象書類名】明細書
【訂正対象項目名】００９４
【訂正方法】変更
【訂正の内容】
【００９４】
そのレンズ形状のおかげで、支持クッション２７７が放射状の外側リム領域においてより、軸方向のその中心領域においてハーフシェル２７９、２８１用のためのより軟らかい支持を設ける。この動きは中心経路２７３の形状によって影響され得る。実際の支持はハーフシェル２７９、２８１の上述の放射状の突出部によって放射状に内側へ位置を変えられ、それによって、径方向の外側リム領域における圧力ピークの発生が避けられる。
【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
光後硬化性樹脂組成物からなるレジストフィルムを形成する工程と、
前記レジストフィルムに、目的とする流路部分が遮光されるパターンを介して光を照射する工程と、
光照射部分が充分な現像液耐性を有し、かつ、接着力を失わない程度に硬化した時点で、前記光を照射されたレジストフィルムを現像処理して流路を形成する工程と、
光照射部分が完全に硬化して接着力を失う前に、前記流路が形成されたレジストフィルムを他の層と積層して接着する工程を有する
ことを特徴とするマイクロリアクターの製造方法。
【請求項２】
光後硬化性樹脂組成物として、金属原子に加水分解性の官能基が結合した加水分解性金属化合物（Ａ）と、光後硬化性樹脂組成物に光を照射することにより酸素存在下で前記加水分解性金属化合物（Ａ）の反応、重合又は架橋を促進させる化合物（Ｂ）とを含有する光後硬化性樹脂組成物を用いることを特徴とする請求項１に記載のマイクロリアクターの製造方法。
【請求項３】
金属原子に加水分解性の官能基が結合した加水分解性金属化合物（Ａ）と、光が照射されると酸素存在下で前記加水分解性金属化合物（Ａ）の反応、重合又は架橋を促進させる化合物（Ｂ）とを含有することを特徴とするマイクロリアクター用光後硬化性樹脂組成物。
【請求項４】
光が照射されてから完全に硬化するまでの時間が、０．５〜２４時間である、請求項３に記載のマイクロリアクター用光後硬化性樹脂組成物。
【手続補正２】
【補正対象書類名】明細書
【補正対象項目名】発明の名称
【補正方法】変更
【補正の内容】
【発明の名称】マイクロリアクターの製造方法及びマイクロリアクター用光後硬化性樹脂組成物
【手続補正３】
【補正対象書類名】明細書
【補正対象項目名】０００１
【補正方法】変更
【補正の内容】
【０００１】
本発明は、マイクロメートルオーダー以下の流路が正確に形成された基板が、歪み等を生じることなく正確に積層されたマイクロリアクターを製造することができるマイクロリアクターの製造方法及び光後硬化性樹脂組成物に関する。
【手続補正４】
【補正対象書類名】明細書
【補正対象項目名】０００７
【補正方法】変更
【補正の内容】
【０００７】
本発明は、上記現状に鑑み、マイクロメートルオーダー以下の流路が正確に形成された基板が、歪み等を生じることなく正確に積層されたマイクロリアクターを製造することができるマイクロリアクターの製造方法及びマイクロリアクター用光後硬化性樹脂組成物を提供することを目的とする。
【手続補正５】
【補正対象書類名】明細書
【補正対象項目名】０００８
【補正方法】変更
【補正の内容】
【０００８】
本発明は、光後硬化性樹脂組成物からなるレジストフィルムを形成する工程と、前記レジストフィルムに、目的とする流路部分が遮光されるパターンを介して光を照射する工程と、光照射部分が充分な現像液耐性を有し、かつ、接着力を失わない程度に硬化した時点で、前記光を照射されたレジストフィルムを現像処理して流路を形成する工程と、光照射部分が完全に硬化して接着力を失う前に、前記流路が形成されたレジストフィルムを他の層と積層して接着する工程を有するマイクロリアクターの製造方法である。
また、本発明によれば、金属原子に加水分解性の官能基が結合した加水分解性金属化合物（Ａ）と、光が照射されると酸素存在下で前記加水分解性金属化合物（Ａ）の反応、重合又は架橋を促進させる化合物（Ｂ）とを含有することを特徴とするマイクロリアクター用光後硬化性樹脂組成物が提供される。
以下に本発明を詳述する。
【手続補正書】
【提出日】平成20年1月17日(2008.1.17)
【手続補正１】
【補正対象書類名】明細書
【補正対象項目名】発明の名称
【補正方法】変更
【補正の内容】
【発明の名称】表示装置用ガラス基板の作製方法
【手続補正２】
【補正対象書類名】明細書
【補正対象項目名】特許請求の範囲
【補正方法】変更
【補正の内容】
【特許請求の範囲】
【請求項１】
一表面上に、トランジスタと、液晶材料を含む層及びＯＬＥＤの一方が形成される表示装置用ガラス基板の作製方法において、
長方形状の第１のガラス基板を分断して、複数の第２のガラス基板を形成し、
前記複数の第２のガラス基板それぞれを４枚または９枚に分断して、複数の前記表示装置用基板を形成し、
前記第１のガラス基板の短辺またはｎ分の１の長さの短辺（ｎは２以上の自然数）が、前記複数の第２のガラス基板それぞれの一辺であることを特徴とする表示装置用ガラス基板の作製方法。
【請求項２】
請求項１において、
前記表示装置用ガラス基板のアスペクト比は、４対３または１６対９であることを特徴とする表示装置用ガラス基板の作製方法。
【手続補正書】
【提出日】平成20年2月1日(2008.2.1)
【手続補正１】
【補正対象書類名】明細書
【補正対象項目名】特許請求の範囲
【補正方法】変更
【補正の内容】
【特許請求の範囲】
【請求項１】  内気センサの検出値、外気センサの検出値、および設定温度などから目標吹き出し温度を演算すると共に、日射センサで検出した日射量に基づく日射補正係数で前記目標吹き出し温度を補正するようにしてなる車両用空調機の制御装置であって、
前記日射補正係数は、身体が直接受ける直達日射成分による値と、車体が受けて室温を上昇させる車体負荷日射成分による値との２種類であることを特徴とする車両用空調機の制御装置。
【請求項２】  内気センサの検出値、外気センサの検出値、および設定温度などから目標吹き出し温度を演算すると共に、日射センサで検出した日射量に基づく日射補正係数で前記目標吹き出し温度を補正するようにしてなる車両用空調機の制御装置であって、
上下に配設された吹き出し口と、該上下の吹き出し口を切り替える吹き出し口切り替え手段とを備え、
前記上下の吹き出し口の前記目標吹き出し温度を補正する前記日射補正係数が、第１と第２の２つの値とされることを特徴とする車両用空調機の制御装置。
【請求項３】  上側の吹き出し温度は前記２つの値の合計値で制御し、下側の吹き出し温度は前記第２の値のみで制御することを特徴とする請求項２に記載の車両用空調機の制御装置。
【請求項４】  前記上下の吹き出し口から同時に吹き出し可能な吹き出し口切り替え手段を備えると共に、上側の吹き出し温度は前記第１の値で制御し、下側の吹き出し温度は前記第２の値で制御することを特徴とする請求項２に記載の車両用空調機の制御装置。
【請求項５】  前記第１の値は太陽の位置に応じて変化する値であり、前記第２の値は太陽の方位に関わらず概ね一定の値であることを特徴とする請求項２乃至４のいずれかに記載の車両用空調機の制御装置。
【請求項６】  内気センサの検出値、外気センサの検出値、および設定温度などから目標吹き出し温度を演算すると共に、日射センサで検出した日射量に基づく日射補正係数で前記目標吹き出し温度を補正するようにしてなる車両用空調機の制御装置であって、
上下および左右に配設された吹き出し口と、該上下左右の吹き出し口の温度を個別に調節可能な温度調節手段とを備え、
上側の吹き出し温度は太陽の位置に応じた左右別々の補正値で制御し、下側の吹き出し温度は太陽の方位に関わらず左右共通の補正値で制御することを特徴とする車両用空調機の制御装置。
【手続補正２】
【補正対象書類名】明細書
【補正対象項目名】０００９
【補正方法】変更
【補正の内容】
【０００９】
また、本願請求項２の発明は、内気センサの検出値、外気センサの検出値、および設定温度などから目標吹き出し温度を演算すると共に、日射センサで検出した日射量に基づく日射補正係数で前記目標吹き出し温度を補正するようにしてなる車両用空調機の制御装置において、上下に配設された吹き出し口と、該上下の吹き出し口を切り替える吹き出し口切り替え手段とを備え、前記上下の吹き出し口の前記目標吹き出し温度を補正する前記日射補正係数が、第１と第２の２つの値とされることを特徴とするものとした。
【手続補正書】
【提出日】平成20年2月7日(2008.2.7)
【手続補正１】
【補正対象書類名】明細書
【補正対象項目名】特許請求の範囲
【補正方法】変更
【補正の内容】
【特許請求の範囲】
【請求項１】  
ヘパリン濃度が１０％以上の溶液中のヘパリンまたは膨潤状態もしくは懸濁状態のヘパリンを分解あるいは化学処理することを特徴とする低分子量ヘパリンの製造法。
【請求項２】  
溶液中のヘパリン濃度が５０％以上である請求項１に記載の方法。
【請求項３】  
膨潤状態もしくは懸濁状態のヘパリンが水系溶媒と有機溶媒の混液中に存在する請求項１に記載の方法。
【請求項４】  
有機溶媒がエタノールである請求項３に記載の方法。
【請求項５】  
酸化剤または還元剤の存在下、分解または化学処理が行われる請求項１に記載の方法。
【請求項６】  
低分子量ヘパリンの分子量が2,000〜10,000である請求項１に記載の方法。
【請求項７】  
低分子量ヘパリンの分子量が3,000〜8,000である請求項６に記載の方法。
【請求項８】  
加熱温度が１５０℃以下である請求項１に記載の方法。
【請求項９】  
加熱温度が１００℃以下である請求項８に記載の方法。
【請求項１０】  
抗Ｘａ活性／抗ＩＩａ活性が１.５以上である請求項１に記載の方法で得られる低分子量ヘパリン。
【請求項１１】  
請求項１０に記載の低分子量ヘパリンの研究試薬、化成品、化粧品または医薬品原料としての使用。
【手続補正２】
【補正対象書類名】明細書
【補正対象項目名】０００６
【補正方法】変更
【補正の内容】
【０００６】
本発明は以下の発明を包含する。
（１）ヘパリン濃度が１０％以上の溶液中のヘパリンまたは膨潤状態もしくは懸濁状態のヘパリンを分解あるいは化学処理することを特徴とする低分子量ヘパリンの製造法。
（２）溶液中のヘパリン濃度が５０％以上である（１）に記載の方法。
（３）膨潤状態もしくは懸濁状態のヘパリンが水系溶媒と有機溶媒の混液中に存在する（１）に記載の方法。
（４）有機溶媒がエタノールである（３）に記載の方法。
（５）酸化剤または還元剤の存在下、分解または化学処理が行われる（１）に記載の方法。
（６）低分子量ヘパリンの分子量が2,000〜10,000である（１）に記載の方法。
（７）低分子量ヘパリンの分子量が3,000〜8,000である（６）に記載の方法。
（８）加熱温度が１５０℃以下である（１）に記載の方法。
（９）加熱温度が１００℃以下である（８）に記載の方法。
（１０）抗Ｘａ活性／抗ＩＩａ活性が１.５以上である（１）に記載の方法で得られる低分子量ヘパリン。
（１１）（１０）に記載の低分子量ヘパリンの研究試薬、化成品、化粧品または医薬品原料としての使用。
【手続補正書】
【提出日】平成20年3月11日(2008.3.11)
【手続補正１】
【補正対象書類名】明細書
【補正対象項目名】特許請求の範囲
【補正方法】変更
【補正の内容】
【特許請求の範囲】
【請求項１】 エポキシ樹脂（Ａ）と、カルボキシル基含有ビニルモノマー（ｃ１）、α，β−エチレン性不飽和カルボン酸のアルキルエステル、ヒドロキシアルキルエステル及びＮ−ヒドロキシアルキルアミド及びＮ−アルコキシアルキルアミドから成る群より選ばれる少なくとも１種のモノマー（ｃ２）、及び芳香族系ビニルモノマー（ｃ３）を共重合させて成るカルボキシル基含有ビニルポリマー（Ｃ）とのエステル化反応により得られる三次元網目構造を有するミクロゲル体（Ｇ）を含む水性樹脂組成物と、一般式１で表されるポリエステル系オリゴマー（Ｘ）
一般式１
【化１】
2002293881.tif 000001
（式中、Ｒ1は水素原子、アルキル基、又はアルケニル基であり、Ｒ2はアルキル基、アルキロイルアルキル基、又はアルケロイルアルキル基を表す）とが、媒体中に分散して成る樹脂組成物。
【請求項２】 ミクロゲル体（Ｇ）を構成する、エポキシ樹脂（Ａ）とカルボキシル基含有ビニルポリマー（Ｃ）との重量比（Ａ）：（Ｂ）が４０〜９０重量部：１０〜６０重量部である請求項１に記載の樹脂組成物。
【請求項３】 エポキシ樹脂（Ａ）が、１分子当たり平均０．５〜２．０個のエポキシ基を有し、且つエポキシ当量が５００〜１０,０００であることを特徴とする請求項１又は２に記載の樹脂組成物。
【請求項４】 ミクロゲル体（Ｇ）と、ポリエステル系オリゴマー（Ｘ）との樹脂固形分の重量比、Ｘ／（Ｇ＋Ｘ）が、０．００１〜０．５であることを特徴とする請求項１〜３のいずれか１つに記載の樹脂組成物。
【請求項５】 請求項１〜４のいずれか１つに記載の樹脂組成物を主たる成分とする金属被覆用樹脂組成物。
【請求項６】 請求項５に記載の金属被覆用樹脂組成物からなるプライマー層を有するプライマー層付金属板。
【請求項７】 請求項６に記載のプライマー層付金属板のプライマー層に液圧転写用フィルムのインキ層を液圧転写することを特徴とする、液圧転写成形物の製造方法。
【手続補正書】
【提出日】平成20年3月26日(2008.3.26)
【手続補正１】
【補正対象書類名】明細書
【補正対象項目名】特許請求の範囲
【補正方法】変更
【補正の内容】
【特許請求の範囲】
【請求項１】
液状エポキシ樹脂、および硬化剤として分子中に２個以上のカルボキシル基をもつカルボン酸を必須成分とすることを特徴とする一液加熱硬化型エポキシ樹脂組成物。
【請求項２】
カルボン酸が、融点８０℃以上であって、３００℃以下で昇華しないものから選ばれる請求項１に記載の一液加熱硬化型エポキシ樹脂組成物。
【請求項３】
硬化剤として酸無水物をも併用する請求項１または２に記載の一液加熱硬化型エポキシ樹脂組成物。
【請求項４】
キャリア基材上に半導体素子を保持してなるフリップチップまたは半導体パッケージを、配線基板に対しバンプまたは半田ボールを介して接続し、該接合部の隙間にアンダーフィル材を封止させたことから成る半導体実装基板において、上記アンダーフィル材として請求項１乃至３のいずれか１つに記載の一液加熱硬化型エポキシ樹脂組成物を用いたことを特徴とする半導体実装基板。
【請求項５】
キャリア基材上に半導体素子を保持してなるフリップチップまたは半導体パッケージを配線基板に対しバンプまたは半田ボールを介して接続する工程と、該接合部の隙間にアンダーフィル材として請求項１乃至３のいずれか１つに記載の一液加熱硬化型エポキシ樹脂組成物を封止させる工程を順次もしくは逆順または同時に行なって、フラックス処理を省略したことを特徴とする半導体実装法。
【請求項６】
請求項５に記載の半導体実装法において、フリップチップまたは半導体パッケージのアンダーフィル材として用いる請求項１乃至３のいずれか１つに記載の一液加熱硬化型エポキシ樹脂組成物。
【請求項７】
接着剤、塗料、コーティング材または封止材に用いる請求項１乃至３のいずれか１つに記載の一液加熱硬化型エポキシ樹脂組成物。
【手続補正２】
【補正対象書類名】明細書
【補正対象項目名】００１６
【補正方法】変更
【補正の内容】
【００１６】
参考例２
ビスフェノールＡ型エポキシ樹脂（「エピコート８２８」）に対して、硬化剤として無水メチルハイミック酸とコハク酸を併用した場合のフラックス性能を検討し、結果を下記表２に示す。なお、各硬化剤の使用量（重量部数）にあって、たとえば「９０」は、エポキシ樹脂１００部（重量部、以下同様）の内、その９０部を硬化させることを意味する（以下同様）。
【手続補正書】
【提出日】平成20年1月31日(2008.1.31)
【手続補正１】
【補正対象書類名】明細書
【補正対象項目名】０００５
【補正方法】変更
【補正の内容】
【０００５】
【課題を解決するための手段】
本発明者らは上記の課題を解決すべく鋭意検討した結果、プロピレンオキシドを重合させポリ（プロピレンオキシド）を製造するのに際し、特定の組成比の重合触媒組成物を用いると、極めて良好にプロピレンオキシドの重合がなされ、分子量制御ができ、しかも、その分子量が非常に高分子であることを見出し、本発明を完成させるに至った。
【手続補正２】
【補正対象書類名】明細書
【補正対象項目名】００１７
【補正方法】変更
【補正の内容】
【００１７】
（Ｃ）トリアルキルアルミニウム化合物及び／又はトリアリールアルミニウム化合物としては、例えば、トリイソブチルアルミニウム、トリエチルアルミニウム、トリメチルアルミニウム、トリフェニルアルミニウム等が挙げられる。中でも、トリイソブチルアルミニウムは特に好ましく用いることができる。また、これらは必要に応じて２種以上を併用することもできる。
【手続補正３】
【補正対象書類名】明細書
【補正対象項目名】００２２
【補正方法】変更
【補正の内容】
【００２２】
本発明の重合触媒組成物におけるクラウンエーテル化合物の添加効果は明らかではないが、アルカリ金属イオンをクラウンエーテル化合物が包接し、ルイス酸として作用するトリアルキルアルミニウム化合物中のアルミニウム原子がクラウンエーテル中の酸素原子に配位し、プロピレンオキシドを重合するのに有効な配置をとることによるものと考えられる。そのため、（Ａ）〜（Ｃ）成分の組成比を限定することによって、ポリ（プロピレンオキシド）の分子量が制御でき、高分子量体を得ることができるものと考えられる。
【手続補正書】
【提出日】平成20年3月19日(2008.3.19)
【手続補正１】
【補正対象書類名】明細書
【補正対象項目名】発明の名称
【補正方法】変更
【補正の内容】
【発明の名称】シート処理装置、及び画像形成装置【手続補正２】
【補正対象書類名】明細書
【補正対象項目名】特許請求の範囲
【補正方法】変更
【補正の内容】
【特許請求の範囲】    【請求項１】シート及び冊子を積載する積載トレイと、  シート及び冊子を前記積載トレイに排出する排出ローラ対と、  積載されたシート及び冊子を排出方向に対して規制する端面規制部材と、 前記排出ローラ対の上方から前記積載トレイに排出されたシート及び冊子を上面より押え込む押え部材と、前記排出ローラ対の下方に位置し、前記積載トレイの上方へ突出可能なストッパ部材と、を有することを特徴とするシート積載装置。    【請求項２】前記押え部材は、次に排出されるシート及び冊子が前記排出ローラ対のニップ部に到達する前に前記排出ローラ対の上方へ退避し、前記ストッパ部材は、次に排出されるシート及び冊子が前記排出ローラ対のニップ部に到達後から前記次に排出されるシート及び冊子の後端が前記排出ローラ対のニップ部を抜ける間に前記積載トレイの上方から退避することを特徴とする請求項１に記載のシート積載装置。    【請求項３】前記積載トレイは、昇降可能であり、シート及び冊子の上面を押え込んだ前記押え部材が所定の位置に達するまで下降することを特徴とする請求項１又は２に記載のシート積載装置。    【請求項４】シート及び冊子を積載する積載トレイと、  シート及び冊子を前記積載トレイに排出する排出ローラ対と、  積載されたシート及び冊子を排出方向に対して規制する端面規制部材と、  前記排出ローラ対の上方から前記積載トレイに排出されたシート及び冊子を上面より押え込む押え部材と、前記排出ローラ対の下方に位置し、前記押え部材により押え込まれたシート及び冊子を上面より押え込む第二押え部材とを有することを特徴とするシート積載装置。    【請求項５】前記押え部材は、次に排出されるシート及び冊子が前記排出ローラ対のニップ部に到達する前に前記排出ローラ対の上方へ退避し、前記第二押え部材は、次に排出されるシート及び冊子が前記排出ローラ対のニップ部に到達後から前記次に排出されるシート及び冊子の後端が前記排出ローラ対のニップ部を抜ける間に前記積載トレイの上方から退避することを特徴とする請求項４に記載のシート積載装置。    【請求項６】前記積載トレイは、昇降可能であり、前記第二押え部材に押え込まれたシート及び冊子の上面が所定の紙面高さに達するまで下降することを特徴とする請求項４又は５に記載のシート積載装置。    【請求項７】前記押え部材は駆動源よりトルクリミッタを介して駆動が伝えられることで作動することを特徴とする請求項１乃至６のいずれか１項に記載のシート積載装置。    【請求項８】前記第二押え部材は駆動源よりトルクリミッタを介して駆動が伝えられることで作動することを特徴とする請求項４乃至７のいずれか１項に記載のシート積載装置。    【請求項９】前記押え部材が前記排出ローラ対のニップ部の下方で当接するストッパを設け、所定の紙面高さにあるシート及び冊子の上面を押えつけないように規制することを特徴とする請求項６に記載のシート積載装置。    【請求項１０】シートに画像を形成する画像形成部と、  画像形成されたシートを積載する１乃至９のいずれか１項に記載のシート積載装置と、を備えたことを特徴とする画像形成装置。【手続補正３】
【補正対象書類名】明細書
【補正対象項目名】０００９
【補正方法】変更
【補正の内容】
【０００９】【課題を解決するための手段】上記課題を解決するために本発明に係るシート積載装置の代表的な構成は、シート及び冊子を積載する積載トレイと、シート及び冊子を前記積載トレイに排出する排出ローラ対と、積載されたシート及び冊子を排出方向に対して規制する端面規制部材と、前記排出ローラ対の上方から前記積載トレイに排出されたシート及び冊子を上面より押え込む押え部材と、前記排出ローラ対の下方に位置し、前記積載トレイの上方へ突出可能なストッパ部材と、を有することを特徴とする。【手続補正４】
【補正対象書類名】図面
【補正対象項目名】図３
【補正方法】変更
【補正の内容】
【図３】2002293470.tif 000001
【手続補正書】
【提出日】平成20年2月14日(2008.2.14)
【手続補正１】
【補正対象書類名】明細書
【補正対象項目名】００１０
【補正方法】変更
【補正の内容】
【００１０】
図１は本発明の繊維ドラムの糸条の切断装置の一例を示す正面図であり、図２は本発明の繊維ドラムの糸条の切断装置の一例を示す側面図であり、図３は本発明の繊維ドラムの糸条の切断装置の一例を示す平面図である。図４は繊維ドラムの糸条の切断装置のベースプレート１と切断手段である、固定刃６を備えたスライダー７の詳細図を示し、図６は繊維ドラム把持手段であるドラムホルダーの詳細図を示す。
【手続補正２】
【補正対象書類名】図面
【補正対象項目名】図４
【補正方法】変更
【補正の内容】
【図４】
2002293480.tif 000001
【手続補正書】
【提出日】平成20年3月31日(2008.3.31)
【手続補正１】
【補正対象書類名】明細書
【補正対象項目名】請求項１
【補正方法】変更
【補正の内容】
【請求項１】無端搬送材上に二輪車を載せて搬送する二輪車用昇降装置であって、この無端搬送材に、毛先を対向させて二輪車の車輪を挟み込むようにした一対のブラシ様体を無端搬送材の全周に渡って取り付け、且つこの無端搬送材に、前記ブラシ様体を支えると共にブラシ様体をガイドするためのガイド部材を添設し、更に前記ブラシ様体の蛇行を防止すべく、一対のブラシ様体の毛先が互いに近接する方向にブラシ様体を付勢する付勢手段を設けて成る、二輪車用昇降装置。【手続補正２】
【補正対象書類名】明細書
【補正対象項目名】請求項２
【補正方法】変更
【補正の内容】
【請求項２】無端搬送材上に二輪車を載せて搬送する二輪車用昇降装置であって、この無端搬送材に、ブラシ様体とこのブラシ様体の毛先に対向させた滑動体とを、ブラシ様体の毛先と滑動体との間に二輪車の車輪を挟み付けて搬送し得るように、無端搬送材の全周に渡って取り付け、且つこの無端搬送材に、前記ブラシ様体を支えると共にブラシ様体をガイドするためのガイド部材を添設し、更に前記ブラシ様体の蛇行を防止すべく、ブラシ様体の毛先と前記滑動体が互いに近接する方向に、ブラシ様体または滑動体を付勢する付勢手段を設けて成る、二輪車用昇降装置。【手続補正３】
【補正対象書類名】明細書
【補正対象項目名】請求項６
【補正方法】変更
【補正の内容】
【請求項６】ブラシ様体の毛先が幾分下方へ向くように設けて成る、請求項１または請求項２に記載の二輪車用昇降装置。【手続補正４】
【補正対象書類名】明細書
【補正対象項目名】請求項９
【補正方法】変更
【補正の内容】
【請求項９】  無端搬送材の少なくとも入口の付近で、二輪車の車輪を受け入れやすくするために、一側のブラシ様体とこれに対向する側との間隔を広く取った、請求項１または請求項２に記載の二輪車用昇降装置。【手続補正５】
【補正対象書類名】明細書
【補正対象項目名】請求項１２
【補正方法】変更
【補正の内容】
【請求項１２】  二輪車の車輪を、前記ブラシ様体に向け勢いを付けて導入するために、二輪車用昇降装置の手前に二輪車の車輪の進行を加速するための加速装置を設けて成る、請求項１または請求項２に記載の二輪車用昇降装置。【手続補正６】
【補正対象書類名】明細書
【補正対象項目名】００１１
【補正方法】変更
【補正の内容】
【００１１】  また上記課題は請求項２の発明では、無端搬送材に、ブラシ様体とこのブラシ様体の毛先に対向させた滑動体とを、ブラシ様体の毛先と滑動体との間に二輪車の車輪を挟み付けて搬送し得るように、無端搬送材の全周に渡って取り付け、且つこの無端搬送材に、前記ブラシ様体を支えると共にブラシ様体をガイドするためのガイド部材を添設し、更に前記ブラシ様体の蛇行を防止すべく、ブラシ様体の毛先と前記滑動体が互いに近接する方向に、ブラシ様体または滑動体を付勢する付勢手段を設けて成る、二輪車用昇降装置とすることにより達成される。ブラシ様体と滑動体とで二輪車の車輪を挟み付け二輪車を立て支えつつ搬送する。二輪車の車輪は滑動体側で滑りつつ、ブラシ様体に拘束されて昇降することに成る。而も前記付勢手段は、ブラシ様体または滑動体を常に内側に付勢しており、蛇行が発生したような場合でもこの付勢手段の作用によってこれを極力押さえることが出来る。なお付勢手段は、ブラシ様体の毛先と滑動体とで二輪車の車輪を挟み付ける作用を補助することが可能である。【手続補正７】
【補正対象書類名】明細書
【補正対象項目名】００１６
【補正方法】変更
【補正の内容】
【００１６】  次に請求項６の発明は請求項１または請求項２に於いて、ブラシ様体の毛先を幾分下方へ向くように設けて成るものとした。二輪車の車輪は下方へ向いた毛足部によって逆止され、一対のブラシ様体からより抜け出しにくいものと成るのである。【手続補正８】
【補正対象書類名】明細書
【補正対象項目名】００１９
【補正方法】変更
【補正の内容】
【００１９】  次に請求項９の発明は請求項１または請求項２に於いて、無端搬送材の少なくとも入口の付近で、二輪車の車輪を受け入れやすくするために、一側のブラシ様体とこれに対向する側との間隔を広く取ったものとした。ここから通常の幅まで徐々に移行して、ブラシ様体の間隔が徐々に狭く成るため、当初車輪を挿入しやすく、途中からは抜け出しにくい状態と成る。【手続補正９】
【補正対象書類名】明細書
【補正対象項目名】００２３
【補正方法】変更
【補正の内容】
【００２３】  次に請求項１２の発明は請求項１または請求項２に於いて、二輪車の車輪を、前記ブラシ様体に向け勢いを付けて導入するために、二輪車用昇降装置の手前に二輪車の車輪の進行を加速するための加速装置を設けて成るものとした。この加速手段として例えばモータ駆動の一対のコロまたはベルトを設置する。コロまたはベルトは二輪車を二輪車用昇降装置の方へ加速搬送する。従って、勢いが付けられた二輪車の車輪は、そのまま容易に前記ブラシ様体とブラシ様体とに挟み込まれ或いは前記ブラシ様体と滑動体とに挟み付けられ、二輪車は立て支えられつつ搬送されるので、利用者は前記コロまたはベルトの位置まで二輪車を導けば良く、操作が楽である。【手続補正１０】
【補正対象書類名】明細書
【補正対象項目名】００４０
【補正方法】変更
【補正の内容】
【００４０】【発明の効果】  以上この発明は、無端搬送材に、毛先を対向させて二輪車の車輪を挟み込むようにした一対のブラシ様体を無端搬送材の全周に渡って取り付け、且つこの無端搬送材に、前記ブラシ様体を支えると共にブラシ様体をガイドするためのガイド部材を添設し、更に前記ブラシ様体の蛇行を防止すべく、一対のブラシ様体の毛先が互いに近接する方向にブラシ様体を付勢する付勢手段を設けて成るものとした。また無端搬送材に、ブラシ様体とこのブラシ様体の毛先に対向させた滑動体とを、ブラシ様体の毛先と滑動体との間に二輪車の車輪を挟み付けて搬送し得るように、無端搬送材の全周に渡って取り付け、且つこの無端搬送材に、前記ブラシ様体を支えると共にブラシ様体をガイドするためのガイド部材を添設し、更に前記ブラシ様体の蛇行を防止すべく、ブラシ様体の毛先と前記滑動体が互いに近接する方向に、ブラシ様体または滑動体を付勢する付勢手段を設けて成るものとした。
【手続補正書】
【提出日】平成20年1月31日(2008.1.31)
【手続補正１】
【補正対象書類名】明細書
【補正対象項目名】０００１
【補正方法】変更
【補正の内容】
【０００１】
【発明の属する技術分野】本発明は、移動式クレーンのブーム伸縮機構の制御装置に関し、特に１本の伸縮シリンダによる伸縮機構に使用される制御装置に関するものである。
【手続補正２】
【補正対象書類名】明細書
【補正対象項目名】００２７
【補正方法】変更
【補正の内容】
【００２７】
以上のように1本の伸縮シリンダによる伸縮機構においては、あるブーム段のブームとその外側のブームとの関係における伸長状態は、上述したブーム間連結手段の前記固定ピンが外側ブームのどの固定穴と連結状態にあるかによって決定されるものである。そのため、ブーム伸縮機構の制御装置はブーム伸長状態を各段のブーム間連結手段がどの固定穴と連結状態にあるかということを記憶することにより伸縮ブーム１０のブーム長さすなわちブーム状態を算出するようになっている。
（固定ピン駆動手段）４０は固定ピン駆動手段であって、固定ピン駆動シリンダ４１、固定ピン駆動レバー４２、ローラー４４とから構成されている。固定ピン駆動レバー４２は前記伸縮シリンダ１のシリンダチューブロッド側端部３と一体に形成されたサポート４５に揺動自在に軸支されており、かつ左右一対配置されている。固定ピン駆動レバー４２の一端にはローラー４４が回転自在に軸支されており、その他端には前記固定ピン駆動シリンダ４１のロッド側端部４１ａ及びシリンダ側端部４１ｂにそれぞれ枢着されている。
【手続補正３】
【補正対象書類名】明細書
【補正対象項目名】００４２
【補正方法】変更
【補正の内容】
【００４２】
図１４は、前記ブーム基端位置検出手段８０の具体例を示すものである。近接スイッチ８２〜８６がサポート８１、８１を介して前記伸縮シリンダ１のシリンダチューブロッド側端部３に位置するトラニオン２５に取付けられている。１２ｆは前記セカンドブーム基端部１２ａに取付けられた検出片である。図１４は近接スイッチ８２がセカンドブーム基端部１２ａの検出片１２ｆを検出した状態を表している。同様に他のブーム基端部にも上記近接スイッチ８３〜８６に対応する位置に検出片１３ｆ〜１６ｆが設けられており、前記近接スイッチ８３〜８６が上記検出片をそれぞれ検出するようになっている。この構成により、どの近接スイッチが検出片を検出しているかにより、前記シリンダ・ブーム連結手段２０の連結ピン２３がどのブームの基端部の連結穴に位置しているかが判断できるようになっている。
【手続補正４】
【補正対象書類名】明細書
【補正対象項目名】００４６
【補正方法】変更
【補正の内容】
【００４６】
図９は前記伸縮シリンダ伸縮制御手段１００を構成する具体的な油圧回路の例を示したものである。伸縮シリンダ伸縮制御手段１００は、前記伸縮シリンダ１、カウンタバランス弁１０４と油圧源、タンクとの間に介装されたパイロット式切換弁１０３、当該パイロット式切換弁１０３を切換えるパイロット圧を送る電磁比例弁１０１、１０２およびフロコン弁１０９から構成されている。当該電磁比例弁１０１と１０２は前記コントローラ６５からの信号により比例制御されるようになっている。連結ピン駆動シリンダ２１と固定ピン駆動シリンダ４１はそれぞれ、ホースリール１０５、パイロットチェック弁１０６、ソレノイド切換弁１０７、１０８を介して油圧源とタンクに接続されており、ソレノイド切換弁１０７、１０８は前記コントローラ６５からの信号により切換操作されるようになっている。
ブーム伸縮機構の制御装置の制御内容
図8（ａ）に示す６段伸縮ブーム１０の全縮小状態から、（ｂ）に示したトップブーム１６が伸長した状態に至る間の伸縮機構の１サイクルに対応させて、本願発明の制御装置の制御内容を説明する。
（ブーム条件設定）伸縮ブーム１０は全縮小状態にあると仮定する。このとき、図1に示したようにシリンダ・ブーム連結手段２０はセカンドブーム１２の基端部１２ｂと連結状態にあり、各段ブームのブーム間固定手段は全て固定状態にあると仮定する。図４に示すマニュアル伸縮切換スイッチ６２は自動伸縮側を選択している。最終ブーム状態入力手段６３に含まれる送り・戻りキーにより図１２に示されたグラフィック表示器７０の第1の表示画面上でブーム条件を選択する。今は、仮にトップブーム（６段目）が９３％伸長し、フィフスブーム（５段目）が９３％伸長するNo．５のブーム条件を選んだと仮定する。最終ブーム状態入力手段６３に含まれるセットキーを操作すると、選択したブーム条件がコントローラ６５に出力され、コントローラ６５に記憶される。次に伸縮操作レバー６１を伸長側に操作し、その操作を継続する限り、以降コントローラ６５は伸縮機構を自動制御し、伸縮機構のサイクルを繰り返し上記設定したブーム条件となるまで伸縮動作を続ける。なお、伸縮操作レバー６１を中立位置に戻すと、コントローラ６５は伸縮機構の動作をその時点で停止させる。
（シリンダ・ブーム連結解除行程）前記伸縮操作レバーの伸長側操作により、コントローラ６５は伸縮機構の伸長動作を開始する。まず、コントローラ６５は、シリンダ・ブーム間連結解除行程の直前に伸縮シリンダ伸縮制御手段１００へ伸縮シリンダ縮小信号を出力する。具体的には、図9に示すコントローラ６５から、短時間だけ電磁比例弁１０２へ信号が出力される。パイロット圧がパイロット式切換弁１０３へ作用し、縮小側へ切換られることにより伸縮シリンダ１は僅かに縮小する。
【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
少なくとも内輪、外輪、転動体及び保持器を備え、ハイブリッド自動車の電動モータに使用される転がり軸受において、
前記保持器が、異形断面を有するガラス繊維を１５〜４５質量％の割合で含有する芳香族ポリアミド樹脂組成物からなることを特徴とするハイブリッド自動車用転がり軸受。
【請求項２】
芳香族ポリアミド樹脂がポリアミド６Ｔ／６Ｉ、ポリアミド６Ｔ／ＤＴ、ポリアミド６Ｔ／Ｍ−５Ｔ及びポリアミド９Ｔから選ばれる少なくとも１種であることを特徴とする請求項１記載のハイブリッド自動車用転がり軸受。
【請求項３】
ガラス繊維の長径部と短径部との比率が１．５〜５であることを特徴とする請求項１または２記載のハイブリッド自動車用転がり軸受。
【手続補正２】
【補正対象書類名】明細書
【補正対象項目名】０００６
【補正方法】変更
【補正の内容】
【０００６】
上記目的を達成するために、本発明は下記のハイブリッド自動車用転がり軸受を提供する。
（１）少なくとも内輪、外輪、転動体及び保持器を備え、ハイブリッド自動車の電動モータに使用される転がり軸受において、前記保持器が、異形断面を有するガラス繊維を１５〜４５質量％の割合で含有する芳香族ポリアミド樹脂組成物からなることを特徴とするハイブリッド自動車用転がり軸受。
（２）芳香族ポリアミド樹脂がポリアミド６Ｔ／６Ｉ、ポリアミド６Ｔ／ＤＴ、ポリアミド６Ｔ／Ｍ−５Ｔ及びポリアミド９Ｔから選ばれる少なくとも１種であることを特徴とする上記（１）記載のハイブリッド自動車用転がり軸受。
（３）ガラス繊維の長径部と短径部との比率が１．５〜５であることを特徴とする上記（１）または（２）記載のハイブリッド自動車用転がり軸受。
【手続補正書】
【提出日】平成20年6月9日(2008.6.9)
【手続補正１】
【補正対象書類名】特許請求の範囲
【補正対象項目名】全文
【補正方法】変更
【補正の内容】
【特許請求の範囲】
【請求項１】
便座と据え付け部を備えた便器本体と、便器本体の前面側と側面側とを覆うスカート部材を有し、前記スカート部材にスピーカが設けられ、かつ、スピーカは斜め下向きに前面側に向かって設置されたことを特徴とする洋風便器。
【請求項２】
スカート部材の側面はオーバーハング状に傾斜し、当該傾斜面にスピーカが取り付けられていることを特徴とする請求項１に記載の洋風便器。
【請求項３】
スピーカは垂直線に対して斜め下向きに１５°から２５°の姿勢に取り付けられていることを特徴とする請求項１または２に記載の洋風便器。
【請求項４】
スピーカは、スカート部材の下端近傍に設けられていることを特徴とする請求項１乃至３のいずれかに記載の洋風便器。
【請求項５】
スピーカの位置は、便座に座した使用者を基準として、当該使用者が背筋を垂直に伸ばした姿勢の時に少なくとも耳の位置よりも前方にあることを特徴とする請求項１乃至４のいずれかに記載の洋風便器。
【請求項６】
２以上のスピーカを有し、そのうちの少なくとも一対のスピーカは、便座に座した使用者を基準として左右方向の中心線に対して略均等の角度に配置されていることを特徴とする請求項１乃至５のいずれかに記載の洋風便器。
【請求項７】
洋風便器の前面側であって床面の近傍の高さに２以上のスピーカが設けられ、そのうちの少なくとも一対のスピーカは、便座に座した使用者を基準として左右方向の中心線に対して略均等の角度に配置され、且つ前記一対のスピーカは、いずれも便座に座した使用者を基準として、当該使用者が背筋を垂直に伸ばした姿勢の時に少なくとも耳の位置よりも前方にあり、さらに前記スピーカは垂直線に対して斜め下向きに１５°から２５°の姿勢に取り付けられていることを特徴とする洋風便器。
【手続補正２】
【補正対象書類名】明細書
【補正対象項目名】０００８
【補正方法】変更
【補正の内容】
【０００８】
そして上記した課題を解決するための請求項１に記載の発明は、便座と据え付け部を備えた便器本体と、便器本体の前面側と側面側とを覆うスカート部材を有し、前記スカート部材にスピーカが設けられ、かつ、スピーカは斜め下向きに前面側に向かって設置されたことを特徴とする。
【手続補正３】
【補正対象書類名】明細書
【補正対象項目名】０００９
【補正方法】変更
【補正の内容】
【０００９】
本発明の洋風便器では、洋風便器の台座部の前面側を取り囲むスカート部材を有し、このスカート部材にスピーカが設けられている。洋風便器の台座部は、便座部や便受け部に比べて径が小さいので、当該部位の周囲には比較的大きな空間がある。そのため比較的大きなスピーカを設置することができる。また本発明では、便座部の前面側に向かってスピーカが設置されるが、便座部の前面側には一般に扉や壁がある。そのためスピーカから発せられた音は、前面の扉や壁に反射し、トイレの空間全体に広がって使用者の耳に届く。
【手続補正４】
【補正対象書類名】明細書
【補正対象項目名】００１０
【補正方法】変更
【補正の内容】
【００１０】
請求項２に記載の発明は、スカート部材の側面はオーバーハング状に傾斜し、当該傾斜面にスピーカが取り付けられていることを特徴とする。
【手続補正５】
【補正対象書類名】明細書
【補正対象項目名】００１１
【補正方法】変更
【補正の内容】
【００１１】
本発明の洋風便器では、スカート部材の側面がオーバーハング状に傾斜し、スピーカはこの傾斜面に取り付けられている。従ってスピーカは床面を向く。そのためスピーカから発せられた音は、床面に当たって反射し、さらに扉や壁に当たってトイレの空間全体に広がる。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
請求項３に記載の発明は、スピーカは垂直線に対して斜め下向きに１５°から２５°の姿勢に取り付けられていることを特徴とする。
【手続補正９】
【補正対象書類名】明細書
【補正対象項目名】００１５
【補正方法】変更
【補正の内容】
【００１５】
本発明の洋風便器についても、スピーカは床面を向いている。そのためスピーカから発せられた音は、床面に当たって反射し、さらに扉や壁に当たってトイレの空間全体に広がる。
【手続補正１０】
【補正対象書類名】明細書
【補正対象項目名】００１６
【補正方法】変更
【補正の内容】
【００１６】
請求項４に記載の発明は、スピーカは、スカート部材の下端近傍に設けられていることを特徴とする。
【手続補正１１】
【補正対象書類名】明細書
【補正対象項目名】００１７
【補正方法】変更
【補正の内容】
【００１７】
本発明の洋風便器では、スピーカの取り付け位置がスカート部材の下端近傍であるから、スピーカから発せられた音は、床面で反射する。そのため音がトイレ中に響く。
【手続補正１２】
【補正対象書類名】明細書
【補正対象項目名】００１８
【補正方法】変更
【補正の内容】
【００１８】
請求項５に記載の発明は、スピーカの位置は、便座に座した使用者を基準として、当該使用者が背筋を垂直に伸ばした姿勢の時に少なくとも耳の位置よりも前方にあることを特徴とする。
【手続補正１３】
【補正対象書類名】明細書
【補正対象項目名】００１９
【補正方法】変更
【補正の内容】
【００１９】
本発明の洋風便器では、スピーカの位置は、使用者の耳の位置よりも前にある。そのため使用者は、主として前面側の扉や壁による反射音を聞くことができ、後方からの反射音は比較的小さいものとなる。そのため反響音のバランスに優れたものとなる。
【手続補正１４】
【補正対象書類名】明細書
【補正対象項目名】００２０
【補正方法】変更
【補正の内容】
【００２０】
請求項６に記載の発明は、２以上のスピーカを有し、そのうちの少なくとも一対のスピーカは、便座に座した使用者を基準として左右方向の中心線に対して略均等の角度に配置されていることを特徴とする。
【手続補正１５】
【補正対象書類名】明細書
【補正対象項目名】００２１
【補正方法】変更
【補正の内容】
【００２１】
本発明の洋風便器は、左右のバランスがよく、ステレオ効果を楽しむことができる。
【手続補正書】
【提出日】平成20年10月17日(2008.10.17)
【手続補正１】
【補正対象書類名】明細書
【補正対象項目名】０００６
【補正方法】変更
【補正の内容】
【０００６】
しかしながら、このようなブラインドナットは、あらかじめ形成された雌ねじにねじ工具を螺合してこの雌ねじの部分を頭部側へ引き上げてかしめ部を形成してから、ワークをこれに固定する際にねじを螺合するようにしたものであり、このブラインドナットでは複数のワークを互いに挟み固定することはできず、例え、このブラインドナットでワークを挟み固定できたとしても、時間が経過してかしめ部が僅かでも元に戻ると、互いのワークの間には隙間が生じて固定が緩むことがある。また、このブラインドナットは雌ねじをあらかじめ形成していることからその製造工数が多くかかり、高価になっている。更に、ねじをブラインドナットに螺入した場合の連れ回りを防止するためにこのブラインドナットの頭部裏面の内周付け根部分に膨出部を設けてワークの皿穴を挟むようになっているから、ワークの下穴には必ず皿穴を形成する必要が生じている。しかも、このように頭部裏面の付け根部分に膨出部を形成する必要からこれを圧造加工により製造する場合に使用する金型も複雑になる等の課題を有している。
【手続補正書】
【提出日】平成20年6月25日(2008.6.25)
【手続補正１】
【補正対象書類名】特許請求の範囲
【補正対象項目名】全文
【補正方法】変更
【補正の内容】
【特許請求の範囲】
【請求項１】
空圧式アクチュエータの作動により弁体を上下動して流路を開閉する空圧作動式バルブと、ウォータハンマー発生時に前記弁体の上昇を抑制する抑制機構とからなり、該抑制機構は、回転軸を下方に向けて前記アクチュエータの上方に固定されたステッピングモータと、該ステッピングモータの回転軸に連結されて該回転軸の一方向回転に伴って上昇し逆方向回転に伴って下降する上下動部材と、該上下動部材が下降して前記弁体と連結されたステム上端部に接触したときにこれを検知する下端検知部材と、前記アクチュエータへのエアー供給開始時に該ステッピングモータを一方向に回転させ、エアー供給停止時に該ステッピングモータを逆方向に回転させるとともに、前記下端検知部材が前記検知を行ったときに該ステッピングモータに停止信号を送信する制御装置とからなることを特徴とするウォータハンマーレスバルブ。
【請求項２】
前記上下動部材が上昇してその下端部が前記ステム上端部の最上昇位置よりも高い所定位置に達したときにこれを検知する上端検知部材を具備し、前記制御装置が、該上端検知部材が前記検知を行ったときに前記ステッピングモータに停止信号を送信することを特徴とする請求項１記載のウォータハンマーレスバルブ。
【請求項３】
前記ステッピングモータの回転軸の下端部に雄ねじ部材が固定され、前記上下動部材が該雄ねじ部材に螺合する雌ねじ部材からなることを特徴とする請求項１又は２記載のウォータハンマーレスバルブ。
【手続補正２】
【補正対象書類名】明細書
【補正対象項目名】００１０
【補正方法】変更
【補正の内容】
【００１０】
請求項１に係る発明は、空圧式アクチュエータの作動により弁体を上下動して流路を開閉する空圧作動式バルブと、ウォータハンマー発生時に前記弁体の上昇を抑制する抑制機構とからなり、該抑制機構は、回転軸を下方に向けて前記アクチュエータの上方に固定されたステッピングモータと、該ステッピングモータの回転軸に連結されて該回転軸の一方向回転に伴って上昇し逆方向回転に伴って下降する上下動部材と、該上下動部材が下降して前記弁体と連結されたステム上端部に接触したときにこれを検知する下端検知部材と、前記アクチュエータへのエアー供給開始時に該ステッピングモータを一方向に回転させ、エアー供給停止時に該ステッピングモータを逆方向に回転させるとともに、前記下端検知部材が前記検知を行ったときに該ステッピングモータに停止信号を送信する制御装置とからなることを特徴とするウォータハンマーレスバルブに関する。
【手続補正書】
【提出日】平成20年9月19日(2008.9.19)
【手続補正１】
【補正対象書類名】明細書
【補正対象項目名】０００６
【補正方法】変更
【補正の内容】
【０００６】
上記目的を達成するために、請求項１記載の発明は、駆動軸および被動軸間に設けられる歯車減速機において、軸線まわりに回転可能な前記駆動軸に固定される一次減速駆動歯車と、前記駆動軸から離隔した位置で該駆動軸と平行な軸線まわりに回転可能な前記被動軸に相対回転可能に支承されるとともに前記一次減速駆動歯車に噛合する一次減速被動歯車と、一次減速被動歯車と一体に形成された二次減速駆動歯車と、前記駆動軸に相対回転可能に支承されて二次減速駆動歯車に噛合する二次減速被動歯車と、二次減速被動歯車と一体に形成される三次減速駆動歯車と、前記被動軸に固定されて三次減速駆動歯車に噛合する三次減速被動歯車とを備えることを特徴とする。
【手続補正２】
【補正対象書類名】明細書
【補正対象項目名】００３７
【補正方法】変更
【補正の内容】
【００３７】
前記セカンダリ軸５４の後方には該セカンダリ軸５４と平行な軸線を有するカウンタ軸８３が配置されており、該カウンタ軸８３の両端部はクランクケース２１の右側および左側ケース半体２１Ｒ，２１Ｌに第３および第４軸受であるボールベアリング８４，８５を介して回転自在に支承され、左側ケース半体２１Ｌから突出したカウンタ軸８３の左端部に、後輪ＷＲに動力を伝達するためのチェーン伝動手段１３の一部を構成する駆動スプロケット８６が固定される。
【手続補正書】
【提出日】平成20年10月27日(2008.10.27)
【手続補正１】
【補正対象書類名】明細書
【補正対象項目名】００２２
【補正方法】変更
【補正の内容】
【００２２】
或いは、例えば前述の特許文献２に記載された構造（図４に示した構造）の様に、第一組の遊星歯車式変速ユニットを構成する第一遊星歯車と、この第一組の遊星歯車式変速ユニットに隣接して設けられた別の（第三組の）遊星歯車式変速ユニットを構成する（第三）遊星歯車とをそれぞれ、互いに噛合した１対ずつの遊星歯車素子から成るダブルピニオン型のものとする。又、これら各遊星歯車素子のうちの外径側に設けた各遊星歯車素子を、上記第一組の遊星歯車式変速ユニットと上記別の（第三組の）遊星歯車式変速ユニットとを掛け渡す状態で設けた、幅広のものとする。そして、この幅広の各遊星歯車素子に噛合したリング歯車と上記第二キャリアとの間に、上記第二のクラッチを設ける。
【手続補正２】
【補正対象書類名】明細書
【補正対象項目名】００２３
【補正方法】変更
【補正の内容】
【００２３】
上述の様に構成する本発明の無段変速装置によれば、（前段側、後段側の）各第二遊星歯車組を構成する（前段側、後段側の）各第二遊星歯車を、それぞれシングルピニオン型のものとしている為、これら各第二遊星歯車の構造を簡素に構成できる。又、これら各第二遊星歯車の外径を（ダブルピニオン型の場合に比べて）大きくできる為、これら各第二遊星歯車の噛合部の面圧を低減でき、これら各第二遊星歯車の強度並びに耐久性を確保できる。又、この様に面圧を低減できる分、上記各第二遊星歯車の軸方向寸法（幅寸法）を（許容できる面圧の範囲で）小さくする事もでき、無段変速装置全体の軸方向寸法の低減（小型化）を図れる。又、上記各第二遊星歯車の外径を大きくできる分、これら各第二遊星歯車の回転速度の低減を図れ、これら各第二遊星歯車を支持する各遊星軸及び各ラジアルニードル軸受の耐久性を確保できる。又、これと共に、これら各ラジアルニードル軸受の回転に伴う（転がり）損失を低減でき、無段変速装置全体の伝達効率の向上も図れる。又、上記各第二遊星歯車の公転方向に関し、互いに隣り合うこれら各第二遊星歯車同士の間隔を大きくできる為、これら各第二遊星歯車同士の間に掛け渡す、第二キャリアを構成する支柱の寸法を大きくできる。この為、この第二キャリアの強度並びに剛性の向上も図れる。又、それぞれの組の第二遊星歯車の数（公転中心に対し直角方向に存在する同一仮想平面上に配置された第二遊星歯車の数）を多くする事もでき、その分、これら各第二遊星歯車が伝達する動力（分担する動力）の低減を図れる。この為、この面からも、これら各第二遊星歯車並びにこれら各第二遊星歯車を支持する上記各遊星軸及び各ラジアルニードル軸受の耐久性を確保できる他、これら各部材の設計の自由度の向上も図れる。
【手続補正書】
【提出日】平成20年10月28日(2008.10.28)
【手続補正１】
【補正対象書類名】特許請求の範囲
【補正対象項目名】全文
【補正方法】変更
【補正の内容】
【特許請求の範囲】
【請求項１】
ガラス基板に流路を形成したマイクロチップであって、流路の一部もしくは全部を黒色ガラスで覆ってあるマイクロチップ。
【請求項２】
請求項１において、黒色ガラスが流路の片面、もしくは、両面に設けてあるマイクロチップ。
【請求項３】
請求項１〜２のいずれかにおいて、ガラスが石英ガラスであるマイクロチップ。
【請求項４】
請求項１〜３のいずれかのマイクロチップの製造方法であって、ガラス基板の表面に溝を形成し、ガラス板を重ねて流路を形成すると共に、形成された流路の少なくとも一部を覆う部分に、黒色ガラスを融着するマイクロチップの製造方法。
【請求項５】
請求項４において、溝の形成方法がウエットエッチング、ドライエッチング、ショットブラスト法、もしくは、研削方法のいずれかであるマイクロチップの製造方法。
【請求項６】
請求項１〜３のいずれかのマイクロチップの流路に対して、赤外線を照射する流路内の試料を加熱する方法。
【請求項７】
請求項１〜３のいずれかのマイクロチップの流路に対して、流路の中心部でマイクロ波の電界強度が最大になるようにマイクロ波を照射する流路内の試料を加熱する方法。